(57)【要約】【課題】  ブロッカー装置の作動時に不正装置等の異物が不正にメダル投入部から遊技機内部に挿入されるのを防止可能な遊技機（スロットマシン）を提供する。【解決手段】  本発明では、円板体導入通路１１０を閉鎖可能なシャッター部材２０１と、このシャッター部材２０１を通路閉鎖位置と通路開放位置とに変位させるシャッター駆動装置２０５と、シャッター部材２０１の位置を検出する開閉検出センサ２０９と、シャッター部材２０１を通路閉鎖位置へ変位させるようにシャッター駆動装置２０５が作動されているときに、シャッター部材２０１が通路閉鎖位置に未到達であることを開閉検出装置２０９が検出すると遊技機による遊技を規制する制御を行う遊技規制部とを備えて構成される。【選択図】  図７
2005304903.tif 000002
【特許請求の範囲】
【請求項１】
円板体が投入される円板体投入部と、前記円板体投入部に投入された前記円板体を遊技機の内部に繋がる円板体案内通路へ導くか、前記遊技機の外部に繋がる円板体排出通路へ導くかを切り替えるブロッカー装置と、前記円板体案内通路を通過する前記円板体の検出を行う円板体検出装置とを備え、前記円板体検出装置が前記円板体を検出したときに遊技を行うことができるように構成された遊技機において、
前記円板体投入部と前記ブロッカー装置とに繋がる円板体導入通路を閉鎖可能なシャッター部材と、
前記円板体投入部に投入された前記円板体を前記円板体排出通路へ導くように前記ブロッカー装置が作動されているときに、前記円板体導入通路を閉鎖する通路閉鎖位置へ前記シャッター部材を変位させ、前記円板体投入部に投入された前記円板体を前記円板体案内通路へ導くように前記ブロッカー装置が作動されているときに、前記円板体導入通路を開放して前記円板体を通過可能な状態とする通路開放位置へ前記シャッター部材を変位させるシャッター駆動装置と、
前記シャッター部材の位置を検出する開閉検出装置と、
前記シャッター部材を前記通路閉鎖位置へ変位させるように前記シャッター駆動装置が作動されているときに、前記シャッター部材が前記通路閉鎖位置に未到達であることを前記開閉検出装置が検出すると前記遊技機による遊技を規制する制御を行う遊技規制部とを備えて構成されることを特徴とする遊技機。
【請求項２】
前記円板体投入部に投入された前記円板体が所定の有効円板体である場合には前記円板体を前記円板体案内通路に通過させ、前記円板体投入部に投入された前記円板体が前記有効円板体と異なる無効円板体である場合には前記円板体による前記円板体案内通路の通過を規制するように構成された円板体選別装置を備え、
前記円板体選別装置に前記ブロッカー装置と前記円板体検出装置とが設けられていることを特徴とする請求項１に記載の遊技機。
【請求項３】
前記シャッター部材を前記通路閉鎖位置に変位させるように前記シャッター駆動装置が作動されているときに、前記シャッター部材が前記通路閉鎖位置に未到達であることを前記開閉検出装置が検出すると警報手段により警報作動を行わせる制御を前記遊技規制部が行うことを特徴とする請求項１もしくは請求項２に記載の遊技機。
【発明の詳細な説明】
【技術分野】
【０００１】
本発明は、遊技メダル等の円板体を投入して遊技を行う遊技機、特にスロットマシン（回胴式遊技機）に関する。
【背景技術】
【０００２】
スロットマシンは、所定の図柄を表示した複数のリールと、各リールを始動・停止させるために遊技者が操作する操作部とを備えて構成されており、遊技者がこの操作部を操作することで所定の遊技が行われる。操作部には、遊技メダル等の円板体を投入するための円板体投入部や、ゲームの開始を指示するためのスタートレバー、回転中のリールを停止させるためのストップボタン等が設けられる。また、スロットマシンの内部には、円板体投入部に投入された円板体が所定の有効円板体であるか否かを選別する円板体選別装置が設けられている。
【０００３】
円板体選別装置は、矩形状のメインプレートと、メインプレートの略上方を覆うゲートプレートとを主体に構成され、円板体選別装置内には円板体を案内する円板体案内通路が設けられる。この円板体案内通路は、ゲートプレートおよびメインプレートに突設された各突起物によって形成される。また、円板体案内通路の通路幅及び通路高さは、前述の各突起物によって規制されており、有効円板体の外径と略同一に設定されている。そして、円板体選別装置は、投入された円板体が円板体案内通路を通過する際に、円板体の真偽を判別し、選別する。
【０００４】
このとき、円板体投入部に投入された円板体が有効円板体である場合には、この円板体は円板体案内通路を通過して円板体選別装置の側方へ排出され、円板体選別装置の側方に設けられたガイド部材に案内されてスロットマシン内のホッパーユニットに収容される。一方、円板体投入部に投入された円板体が無効円板体である場合には、この円板体は円板体選別装置の下方へ排出されてスロットマシンの下部前面側に配設された払出口からスロットマシンの外部へ排出される。
【０００５】
また、円板体選別装置にはソレノイドにより駆動されるブロッカー装置が設けられており、このブロッカー部材が作動すると、円板体投入部に投入された円板体が全て円板体選別装置の下方へ排出されて払出口からスロットマシンの外部へ排出されるようになっている。さらに、円板体案内通路の下流部には円板体検出装置が設けられており、円板体案内通路を通過する円板体を検出するようになっている。
【０００６】
円板体検出装置は、例えば、円板体案内通路に沿って並ぶ２つの反射型ビームセンサから構成され、円板体投入部に近い方から順にセンサが検出状態になると、制御部において円板体が円板体案内通路（検出部）を通過したと認識されるようになっている。そして、円板体が円板体投入部に投入され、上述のように円板体検出装置により円板体案内通路を通過する円板体が検出されると、制御部において（有効）円板体が円板体投入部に投入されたと認識され、遊技者はスロットマシンによる遊技を行うことが可能となる。
【特許文献１】特開平７−５９９０１号公報
【発明の開示】
【発明が解決しようとする課題】
【０００７】
上述のように、ブロッカー装置の作動時には、円板体投入部に投入された円板体が全てスロットマシンの外部へ排出されるようになっている。ところが、従来のスロットマシンにおいては、ブロッカー装置の作動時に、円板体検出装置が円板体や不正装置等を検出しても、円板体検出装置による（不正装置等の）検出に対する判断を何ら制御部で行っていなかった。そのため、例えば、遊技中（リールの回転中）といったブロッカー装置の作動時（円板体受入非許容時）に、不正装置を（円板体投入部から）円板体検出装置へ挿入しておき、遊技終了後におけるブロッカー装置の非作動時（円板体受入許容時）に、不正装置に設けられた発光体を円板体検出装置の受光部で点滅させることにより、円板体検出装置を不正に作動させて円板体の投入枚数を不正に増加させるという不正行為が多発していた。
【０００８】
本発明は、このような問題に鑑みてなされたものであり、ブロッカー装置の作動時に不正装置等の異物が不正に円板体投入部から遊技機内部に挿入されるのを防止可能な遊技機（スロットマシン）を提供することを目的とする。
【課題を解決するための手段】
【０００９】
このような目的達成のため、本発明に係る遊技機（例えば、実施形態におけるスロットマシン１）は、円板体（例えば、実施形態における遊技メダル）が投入される円板体投入部（例えば、実施形態におけるメダル投入部３８）と、円板体投入部に投入された円板体を遊技機の内部に繋がる円板体案内通路へ導くか、遊技機の外部に繋がる円板体排出通路へ導くかを切り替えるブロッカー装置と、円板体案内通路を通過する円板体の検出を行う円板体検出装置とを備え、円板体検出装置が円板体を検出したときに遊技を行うことができるように構成される。
【００１０】
そして、このような遊技機が、円板体投入部とブロッカー装置とに繋がる円板体導入通路を閉鎖可能なシャッター部材と、円板体投入部に投入された円板体を円板体排出通路へ導くようにブロッカー装置が作動されているときに、円板体導入通路を閉鎖する通路閉鎖位置へシャッター部材を変位させ、円板体投入部に投入された円板体を円板体案内通路へ導くようにブロッカー装置が作動されているときに、円板体導入通路を開放して円板体を通過可能な状態とする通路開放位置へシャッター部材を変位させるシャッター駆動装置と、シャッター部材の位置を検出する開閉検出装置（例えば、実施形態における開閉検出センサ２０９）と、シャッター部材を通路閉鎖位置へ変位させるようにシャッター駆動装置が作動されているときに、シャッター部材が通路閉鎖位置に未到達であることを開閉検出装置が検出すると遊技機による遊技を規制する制御を行う遊技規制部（例えば、実施形態における主基板６０）とを備えて構成される。
【００１１】
また、上述の発明において、円板体投入部に投入された円板体が所定の有効円板体である場合には円板体を円板体案内通路に通過させ、円板体投入部に投入された円板体が有効円板体と異なる無効円板体である場合には円板体による円板体案内通路の通過を規制するように構成された円板体選別装置（例えば、実施形態におけるメダルセレクタ１００）を備え、この円板体選別装置にブロッカー装置と円板体検出装置とが設けられていることが好ましい。
【００１２】
さらに、上述の発明において、シャッター部材を通路閉鎖位置に変位させるようにシャッター駆動装置が作動されているときに、シャッター部材が通路閉鎖位置に未到達であることを開閉検出装置が検出すると警報手段（例えば、実施形態における上下のスピーカ３２ａ，３２ｂ，４５ａ，４５ｂ）により警報作動を行わせる制御を遊技規制部が行うことが好ましい。
【発明の効果】
【００１３】
本発明によれば、シャッター部材を通路閉鎖位置へ変位させるようにシャッター駆動装置が作動されているときに、シャッター部材が通路閉鎖位置に未到達であることを開閉検出装置が検出すると遊技機による遊技を規制する制御を遊技規制部が行うため、シャッター部材を不正に開放して不正装置を挿入しようとしても、開閉検出装置が不正装置の挿入によるシャッター部材の開放を検出して遊技機による遊技を規制することができることから、ブロッカー装置の作動時に不正装置等の異物が不正に円板体投入部から遊技機内部に挿入されるのを防止することができる。
【００１４】
また、円板体選別装置にブロッカー装置と円板体検出装置とが設けられることで、有効円板体と異なる無効円板体が円板体検出装置に（有効円板体として）検出されるのを防止することができる。
【００１５】
さらに、シャッター部材を通路閉鎖位置に変位させるようにシャッター駆動装置が作動されているときに、シャッター部材が通路閉鎖位置に未到達であることを開閉検出装置が検出すると警報手段により警報作動を行わせる制御を遊技規制部が行うことで、管理者が不正行為を容易に認識することができる。
【発明を実施するための最良の形態】
【００１６】
以下、本発明の好ましい実施形態について図面を参照しながら説明する。本発明に係る遊技機であるスロットマシン１を図１および図２に示しており、まず、スロットマシン１の全体構成について図１および図２を参照しながら要約説明する。スロットマシン１は、前面側に開口を有する箱状の筐体２と、この開口を開閉自在に覆って取り付けられるフロントドア３とから構成される。フロントドア３は、筐体２およびフロントドア３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１７】
筐体２の内部には、図２に示すように、円筒外周面に沿って多種の図柄が設けられた回転可能な三つのリール２１ａ，２１ｂ，２１ｃを備えるリールユニット２２と、遊技メダルの払出を行うホッパーユニット２３と、ホッパーユニット２３から溢れた遊技メダルを収容するための補助貯留部２４と、スロットマシン1の作動を統括的に制御する主基板６０と、遊技場のホールコンピュータ（図示せず）と電気的に接続される外部集中端子基板６５と、リールユニット２２やホッパーユニット２３、主基板６０等の構成機器に電力を供給する電源ユニット２５とが配設される。
【００１８】
フロントドア３の上部には、図１に示すように、上部演出用ランプ３１と、左右の上部スピーカ３２ａ，３２ｂと、液晶ディスプレイ等で構成された演出表示装置３３とが配設される。また、図２に示すように、フロントドア３の上部裏面側にはサブ制御基板７０が配設されており、図示しないワイヤーハーネスで筐体２側の主基板６０と電気的に接続されている。
【００１９】
フロントドア３の中間部には、三つのリール２１ａ，２１ｂ，２１ｃと位置整合して透視窓３５が配設されており、三つのリールの所定範囲を機体正面に臨ませている。さらに、透視窓３５の下方には遊技者が操作するための操作部３７が設けられ、この操作部３７には、遊技メダルを投入するためのメダル投入部３８と、１ゲーム当たりのメダル数を設定するためのベットボタン３９ａ，３９ｂと、１ゲームの開始を指示するためのスタートレバー４０と、回転中のリール２１ａ，２１ｂ，２１ｃを個別に停止させるための三つのストップボタン４１ａ，４１ｂ，４１ｃと、遊技メダルの返却ボタン４２とが配設される。
【００２０】
フロントドア３の下部には、フロントドア３の裏面側に設けられた第３ガイド部材４７ｃと位置整合してメダル払出口４３が設けられるとともに、その下部に受け皿４４が設けられており、さらにメダル払出口４３の近傍に左右の下部スピーカ４５ａ，４５ｂが配設されている。また、図２に示すように、フロントドア３の下部裏面側には、メダル投入部３８より投入される投入物を正規の（有効な）遊技メダルか否か選別して振り分けるメダルセレクタ１００、メダルセレクタ１００で振り分けられた正規の遊技メダルを筐体２側に設けられているホッパーユニット２３へ案内する第１ガイド部材４７ａ、メダルセレクタ１００で振り分けられた無効のメダル等をメダル払出口４３へ案内して排出する第２ガイド部材４７ｂ、ホッパーユニット２３から払い出される払い出し用のメダルをメダル払出口４３へ案内して出力する第３ガイド部材４７ｃ等が設けられている。
【００２１】
さらに、メダルセレクタ１００の上方に位置して長尺状の中央表示基板７５が配設されており、この中央表示基板７５の裏面側の一端には、設定ボタン４８と、数字の０から６までのセグメント表示を行う発光ダイオードで形成された設定表示素子４９とが設けられている。さらに、図１に示すように、中央表示基板７５の前面側には、スロットマシン１にストックされた遊技メダルの枚数を表示する貯留枚数表示部５１と、役の当選回数を表示する回数表示部５２と、入賞時に払い出される遊技メダルの枚数を表示する払出枚数表示部５３とが前面側から視認可能に設けられている。
【００２２】
このようなスロットマシン１で遊技を行うには、まず、遊技者がメダル投入部３８に遊技メダルを投入して各ベットボタン３９ａ，３９ｂのいずれか一つを操作し、スタートレバー４０を操作すると三つのリール２１ａ，２１ｂ，２１ｃが回転起動する。次に、遊技者は回転している三つのリール２１ａ，２１ｂ，２１ｃを任意に選択し、所望の順序及びタイミングで各ストップボタン４１ａ，４１ｂ，４１ｃを操作して、三つのリール２１ａ，２１ｂ，２１ｃを停止させる。
【００２３】
回転していた三つのリール２１ａ，２１ｂ，２１ｃが全て停止すると、入賞図柄の判定、すなわち当たりかはずれかの判定が行われ、図柄の組み合わせが予め定められた入賞図柄の組み合わせに該当するときには、ホッパーユニット２３より所定枚数の遊技メダルが払い出される。このように本スロットマシン１で遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００２４】
次に、メダルセレクタ１００について図３〜図６を参照しながら説明する。メダルセレクタ１００は、図３に示すように、プラスチック等の合成樹脂で形成された矩形状のメインプレート１０２と、このメインプレート１０２の略上方を開閉自在に覆うステンレス等の金属板により形成されたゲートプレート１０３と、前記メインプレート１０２の略下方を開閉自在に覆うカバープレート１０４とから構成される。ゲートプレート１０３は、その右側方に配設された軸１０５を介してメインプレート１０２に対し揺動自在に枢結されており、軸１０５に巻回されたコイルバネ１０６の付勢力により常時はメインプレート１０２の上方を覆い、このゲートプレート１０３とメインプレート１０２との間に後述する円板体案内通路を形成している。
【００２５】
メインプレート１０２の表面側には、上端がメダル投入部３８に連通するとともに下端が下方へ向け延設された円板体導入通路１１０と、この円板体導入通路１１０の下端に連通するとともに図３における右下方へ向けて直線状に延設された円板体案内通路１１１が形成され、メインプレート１０２の表面側は円板体導入通路１１０および円板体案内通路１１１の一方の側壁を構成している。なお、円板体導入通路１１０および円板体案内通路１１１を構成する他方の側壁の一部は、ゲートプレート１０３の裏面側により形成されている。また、図５および図６にも示すように、ゲートプレート１０３の下端には、円板体案内通路１１１に沿い、メインプレート１０２側へ折り曲げられた直線状のリブからなる一本の傾斜転送レール１０３ａが形成されている。
【００２６】
円板体案内通路１１１の左上部には、円板体案内通路１１１内を通過する遊技メダルをその外径の差異により選別する円板体選別手段１１２の主要部が設けられている。この円板体選別手段１１２は、図３および図５に示すように、円板体案内通路１１１の一方の側壁を構成するゲートプレート１０３に設けられ、傾斜転送レール１０３ａから上縁１０３ｂまでの高さＬが正規の遊技メダルの外径よりも若干低く形成された切り欠１０３ｃと、この切り欠１０３ｃが形成される側壁（ゲートプレート１０３）に対し外側へ傾斜した傾斜壁１０３ｄとから構成されている。
【００２７】
また、円板体導入通路１１０の下端には、上述した円板体選別手段１１２の一部を構成し、円板体導入通路１１０を通過する遊技メダルを切り欠１０３ｃの傾斜壁１０３ｄ側へ常時押し付ける円板体押付けレバー１１４が配設されている。この円板体押付けレバー１１４は、図５に示すように、メインプレート１０２に対して円板体導入通路１１０および円板体案内通路１１１の延設方向と垂直な方向へ揺動自在に取り付けられており、図示しないバネ等の付勢手段により常には下端が円板体導入通路１１０内に突出するようになっている。さらに、円板体押付けレバー１１４の上方に位置するメインプレート１０２表面には、円板体導入通路１１０および円板体案内通路１１１を通過可能な遊技メダルの板厚を規制するシックネススクリユー（図示せず）が配設されている。
【００２８】
円板体案内通路１１１の中央部には、円板体選別手段１１２を介し選別されて円板体案内通路１１１を通過する遊技メダルを該円板体案内通路１１１から強制的に排除するブロッカー装置１２０が配設されている。ブロッカー装置１２０は、図６に示すように、メインプレート１０２に固着されたＬ字形状金具１２１の先端部に、円板体案内通路１１１の延設方向と垂直な方向へ揺動自在に取り付けられた円板体排除レバー１２３と、この円板体排除レバー１２３と対向するように設けられた円板体案内レバー１３０とを備えて構成される。
【００２９】
円板体排除レバー１２３は、図６に示すように、その上端１２３ａとＬ字形状金具１２１の突起１２１ａとの間を連結する引張コイルバネ１２４の付勢力を受けて、（円板体排除レバー１２３の）下端１２３ｂを円板体案内通路１１１内へ突出させるようになっている。
【００３０】
また、Ｌ字形状金具１２１には、主基板６０（中央表示基板７５）からの駆動信号に基づいてオン・オフ作動し、円板体排除レバー１２３を円板体案内通路１１１内から待避させる待避手段であるソレノイド１２５が固着されており、このソレノイド１２５がオン作動すると、その磁力によりソレノイド１２５は円板体排除レバー１２３を引張コイルバネ１２４の付勢力に抗して吸着し、円板体排除レバー１２３をメインプレート１０２側へ揺動させて、その下端１２３ｂを円板体案内通路１１１内から待避させるようになっている。
【００３１】
円板体案内レバー１３０は、ゲートプレート１０３に軸１３１を介して揺動自在に枢結され、またこの軸１３１に嵌挿したねじりコイルバネ１３２の付勢力を受けて、その下端は常時円板体案内通路１１１へ向けて付勢されている。また、この円板体案内レバー１３０の下端には、円板体案内通路１１１の延設方向に沿ってガイドバー１３０ｂが延設されており、円板体案内通路１１１の側壁の一部を形成可能に構成されている。また、円板体案内レバー１３０における円板体排除レバー１２３と対向する面には、図６に示すように、円板体排除レバー１２３に当接する当接ピン１３３と、メインプレート１０２に当接可能な位置決めピン１３４とが形成されている。
【００３２】
そして、図３で示すように、ソレノイド１２５をオフ作動させて、円板体排除レバー１２３の下端１２３ｂを円板体案内通路１１１内へ突出させると、円板体案内レバー１３０は、当接ピン１３３を介して、円板体排除レバー１２３と連動して円板体案内通路１１１の外側へ揺動し、円板体案内通路１１１の側方を開放するようになっている。一方、ソレノイド１２５をオン作動させて、円板体排除レバー１２３の下端１２３ｂを円板体案内通路１１１内から待避させると、円板体案内レバー１３０は、ねじりコイルバネ１３２の付勢力により円板体案内通路１１１へ向けて揺動し、円板体案内通路１１１の側壁の一部を構成するようになっている。なおこのとき、円板体案内レバー１３０の位置決めピン１３４がメインプレート１０２に当接し、それにより円板体案内通路１１１の通路幅に合わせられるようになっている。
【００３３】
円板体案内通路１１１の右下部には、円板体検出装置１４０が設けられており、（ブロッカー装置１２０を過ぎて）円板体案内通路１１１の下流部（右下部）を通過する遊技メダルを検出するようになっている。この円板体検出装置１４０は、図３に示すように、円板体案内通路１１１に沿って並ぶ第１および第２円板体検出センサ１４１，１４６から構成され、円板体案内通路１１１の上流側、すなわちメダル投入部３８に近い方から順にセンサが遊技メダルを検出すると（すなわち、第１および第２円板体検出センサ１４１，１４６が順に遊技メダルを検出すると）、制御部（主基板６０）において遊技メダルが円板体案内通路１１１（センサの検出部）を通過したと認識されるようになっている。
【００３４】
第１円板体検出センサ１４１は、検出光を発光する発光部１４２と、発光部１４２から発光された検出光の検出を行う受光部１４３とを有する反射型ビームセンサであり、遊技メダルで反射した検出光を受光部１４３で検出することにより、円板体案内通路１１１（センサの検出部）を通過する遊技メダルを検出するようになっている。また、第２円板体検出センサ１４６は、第１円板体検出センサ１４１と同様に発光部１４７および受光部１４８を有する反射型ビームセンサであり、第１円板体検出センサ１４１の右方に（下流側）に隣接して配設されるようになっている。
【００３５】
また、図３に示すように、ゲートプレート１０３の上部にはスイングレバー１６２が揺動自在に取り付けられており、円板体導入通路１１０内を落下する遊技メダルがスイングレバー１６２の下端部に当接することで、円板体導入通路１１０内を落下する遊技メダルの落下速度が緩和されるようになっている。なお、スイングレバー１６２は、バネ１６３の付勢力を受けて、その下端部が常時円板体導入通路１１０内に突出するようになっている。
【００３６】
また、図４に示すように、ゲートプレート１０３の上端部近傍には返却ボタン当接部１７０が設けられており、返却ボタン４２が押し操作されて、返却ボタン４２の押圧部４２ａが返却ボタン当接部１７０に当接すると、ゲートプレート１０３がコイルバネ１０６の付勢力に抗して揺動し、メインプレート１０２に対して拡開するようになっている。
【００３７】
以上のように構成されるメダルセレクタ１００において、正規の遊技メダル（有効円板体）の外径よりも外径が大きい無効円板体がメダル投入部３８に投入されると、当該無効円板体は、円板体導入通路１１０の上部開口１１０ａを通過して円板体導入通路１１０内に達するが、ゲートプレート１０３の背面からメインプレート１０２側に突設された一対の外径規制爪（図示せず）間に係合し、このため有効円板体の外径よりも外径が大きい無効円板体は円板体導入通路１１０内下方への落下が阻止される。なお、この一対の外径規制爪（図示せず）間の距離は正規の遊技メダル（有効円板体）の外径よりも若干広く設定されている。
【００３８】
また、有効円板体の外径よりも外径は小さいが、その板厚が有効円板体の板厚よりも厚い無効円板体がメダル投入部３８に投入されると、その（板厚の厚い）無効円板体は、円板体導入通路１１０の上部開口１１０ａを通過して円板体導入通路１１０内に達するが、シックネススクリユー（図示せず）と当接し、このため円板体導入通路１１０内下方への落下が阻止される。
【００３９】
なお、円板体導入通路１１０の上流でその落下が阻止された無効円板体Ｍ２（図４を参照）は、図４に示すように、返却ボタン４２を押し操作してゲートプレート１０３を拡開させることにより、メダルセレクタ１００の下方へ落下して排除され、メダルセレクタ１００の下方へ落下した無効円板体は第２ガイド部材４７ｂ（図２を参照）に案内されてメダル払出口４３から受け皿４４へ払い出される（すなわち、スロットマシン１の外部へ排出される）。
【００４０】
また、有効円板体よりも外径が小さく、しかも板厚も有効円板体と同じかそれより薄い無効円板体Ｍ１（図５を参照）がメダル投入部３８に投入されると、この（有効円板体よりも外径が小さい）無効円板体Ｍ１は、円板体導入通路１１０の上部開口１１０ａを通過して円板体導入通路１１０内に達し、一対の外径規制爪およびシックネススクリユーを通過して、その後、スイングレバー１６２の下端部に当接し、落下速度が緩和された状態で第１の円板体案内通路１１０の下流側へ案内される。
【００４１】
その後、無効円板体Ｍ１は円板体押付けレバー１１４と当接し、円板体押付けレバー１１４を付勢手段（図示せず）の付勢力に抗して円板体導入通路１１０から待避させるように揺動させ、これにより円板体押付けレバー１１４とゲートプレート１０３との間を通過する。円板体押付けレバー１１４とゲートプレート１０３との間を通過する間、無効円板体Ｍ１には円板体押付けレバー１１４によりゲートプレート１０３側に押付けられる付勢力が常時作用するので、その付勢力により無効円板体Ｍ１の各種方向への暴れが可及的に阻止され、そのため無効円板体Ｍ１は常に一定の姿勢に制御されて円板体案内通路１１１の始端側（左上部）へ案内される。
【００４２】
無効円板体Ｍ１が円板体案内通路１１１の始端側（左上部）に到達すると、その外径の下端が一本の傾斜転送レール１０３ａに当接し、またその外径の上端が切り欠１０３ｃの上縁１０３ｂ以下の位置に到達する。このように、無効円板体Ｍ１の外径の上端が切り欠１０３ｃの上縁１０３ｂ以下の位置に到達すると、当該無効円板体Ｍ１の側部に円板体押付けレバー１１４による付勢力が常時作用するので、当該無効円板体Ｍ１は、図５に示すように、切り欠１０３ｃを介し傾斜壁１０３ｄ側へ倒れてその姿勢を変更する。
【００４３】
図５に示すように、無効円板体Ｍ１が切り欠１０３ｃを介し傾斜壁１０３ｄ側へ倒れてその姿勢を変更すると、その外径の下端が傾斜転送レール１０３ａから脱落し、このため無効円板体Ｍ１は傾斜転送レール１０３ａの側部に沿って形成されたスリット１０２ｃから円板体案内通路１１１の下方に形成される円板体排出通路１８０へ落下して排除され、選別される。なお、円板体排出通路１８０へ落下した無効円板体Ｍ１は、そのまま円板体排出通路１８０を落下してメダルセレクタ１００の下方へ排出され、第２ガイド部材４７ｂ（図２を参照）に案内されてメダル払出口４３から受け皿４４へ払い出される（すなわち、スロットマシン１の外部へ排出される）。
【００４４】
そして、正規の遊技メダルである有効円板体Ｍ０（図３を参照）がメダル投入部３８に投入されると、図３に示すように、この有効円板体Ｍ０は、円板体導入通路１１０の上部開口１１０ａを通過して円板体導入通路１１０内に達し、一対の外径規制爪（図示せず）およびシックネススクリユーを通過して、その後、スイングレバー１６２の下端部に当接し、落下速度が緩和された状態で第１の円板体案内通路１１０の下流側へ案内される。
【００４５】
その際、有効円板体Ｍ０には円板体押付けレバー１１４によりゲートプレート１０３側に押付けられる付勢力が常時作用するので、その付勢力により有効円板体Ｍ０の各種方向への暴れが可及的に阻止され、そのため有効円板体Ｍ０は常に一定の姿勢に制御されて円板体案内通路１１１の始端側（左上部）へ案内される。有効円板体Ｍ０が円板体案内通路１１１の始端側（左上部）に到達すると、その外径の下端が一本の傾斜転送レール１０３ａに当接し、またその外径の上端が切り欠１０３ｃの上縁１０３ｂ以上に当接する。
【００４６】
このように、有効円板体Ｍ０の外径の上端が切り欠１０３ｃの上縁１０３ｂ以上に当接すると、有効円板体Ｍ０は切り欠１０３ｃ側へ倒れることなく、図３に示すように、円板体案内通路１１１の下流（右下部）へ転がり通過する。
【００４７】
ところで、円板体案内通路１１１の途中には、ブロッカー装置１２０が配設されている。
【００４８】
このブロッカー装置１２０のソレノイド１２５がオン作動しているとき、すなわちメダルセレクタ１００のメダル受入許容時は、円板体排除レバー１２３の下端１２３ｂが円板体案内通路１１１内から待避し、それに連動して円板体案内レバー１３０のガイドバー１３０ｂが円板体案内通路１１１の側壁の一部を構成するとともに、さらに、円板体案内レバー１３０の位置決めピン１３４がメインプレート１０２に当接するので、このブロッカー装置１２０により円板体案内通路１１１の一部が形成されることとなる。
【００４９】
このようにブロッカー装置１２０により円板体案内通路１１１の一部が形成されると、円板体案内通路１１１の下流へ向けて転がる有効円板体Ｍ０は、図３に示すように、円板体案内レバー１３０のガイドバー１３０ｂに沿ってスムーズに円板体案内通路１１１の下流へ導かれ、メインプレート１０２の右側方に形成された円板体排出孔１０２ｄからメダルセレクタ１００の右側方へ排出される。そして、円板体排出孔１０２ｄからメダルセレクタ１００の右側方へ排出された有効円板体Ｍ０は、第１ガイド部材４７ａ（図２を参照）に案内されてホッパーユニット２３に収容される。なお、ブロッカー装置１２０を通過した有効円板体Ｍ０は、隣接する円板体検出装置１４０に検出されて、その枚数がカウントされる。
【００５０】
一方、ブロッカー装置１２０のソレノイド１２５がオフ作動しているとき、すなわちメダルセレクタ１００のメダル受入非許容時は、図６に示すように、円板体排除レバー１２３が引張コイルバネ１２４の付勢力によりメインプレート１０２の表面側へ向けて揺動し、その下端１２３ｂを円板体案内通路１１１内へ突出させて円板体案内通路１１１の通路を塞ぐとともに、円板体案内レバー１３０が当接ピン１３３を介して円板体排除レバー１２３の動きに連動し、円板体案内通路１１１の一側面を開放する。これにより、メダル投入部３８に投入されてブロッカー装置１２０に達した有効円板体Ｍ０を円板体排出通路１８０へ導くことができる。
【００５１】
このようにブロッカー装置１２０の円板体排除レバー１２３が円板体案内通路１１１の通路を塞ぐとともに、円板体案内レバー１３０が円板体案内通路１１１の一側面を開放すると、円板体案内通路１１１の下流へ向けて転がる有効円板体Ｍ０の上部は、円板体排除レバー１２３の下端１２３ｂに当接し、傾斜壁１０３ｄ側へ倒れてその姿勢を変更する。このとき、円板体案内レバー１３０は当接ピン１３３を介して円板体排除レバー１２３の動きに連動し、円板体案内通路１１１の一側面を開放するので、有効円板体Ｍ０はスムーズに傾斜壁１０３ｄ側へ倒れ、このため有効円板体Ｍ０が円板体排除レバー１２３と円板体案内レバー１３０との間に挟まれて円板体の詰りを起こすこともない。
【００５２】
このように、有効円板体Ｍ０が傾斜壁１０３ｄ側へ倒れてその姿勢を変更すると、その外径の下端が傾斜転送レール１０３ａから脱落するので、図６に示すように、有効円板体Ｍ０は傾斜転送レール１０３ａに傾斜転送レール１０３ａの側部に沿って形成されたスリット１０２ｃから円板体排出通路１８０へ落下して強制的に排除される。なお、円板体排出通路１８０へ落下した有効円板体Ｍ０は、そのまま円板体排出通路１８０を落下してメダルセレクタ１００の下方へ排出され、第２ガイド部材４７ｂ（図２を参照）に案内されてメダル払出口４３から受け皿４４へ払い出される（すなわち、スロットマシン１の外部へ排出される）。
【００５３】
以上のようにして、メダルセレクタ１００により、メダル投入部３８に投入された投入物が正規の遊技メダル（有効円板体）であるか否か選別され、さらに、メダルセレクタ１００のメダル受入非許容時には、メダル投入部３８に投入された正規の遊技メダルも強制的にスロットマシン１の外部へ排出される。
【００５４】
ところで、メダル投入部３８とメダルセレクタ１００との間には、メダルセレクタ１００に設けられた円板体導入通路１１０の上部開口１１０ａを閉鎖するためのシャッター装置２００が設けられている。ここで、シャッター装置２００について図７〜図９を参照しながら説明する。シャッター装置２００は、図７〜図９に示すように、円板体導入通路１１０の上部開口１１０ａを閉鎖可能なシャッター部材２０１と、このシャッター部材２０１を変位させるシャッター駆動装置２０５と、シャッター部材２０１を通路閉鎖位置（図７を参照）に向けて付勢するシャッターバネ２０７と、シャッター部材２０１の位置を検出可能な開閉検出センサ２０９とを備えて構成される。
【００５５】
シャッター部材２０１は、図７に示すように、ＡＢＳ樹脂等の樹脂材料（金属板材等でもよい）を用いて断面視略Ｌ字形の板状に形成され、メダル投入部３８の上面部、すなわち、メダル投入部３８とメダルセレクタ１００との間隙部において、円板体導入通路１１０の上部開口１１０ａを閉鎖する通路閉鎖位置（図７を参照）と、上部開口１１０ａを開放して遊技メダルを通過可能な状態とする通路開放位置（図８を参照）とに前後方向へスライド移動自在に配設される。なお、シャッター部材２０１の大きさ（底部面積）は、円板体導入通路１１０の上部開口１１０ａを閉鎖可能な大きさとなっている。
【００５６】
シャッター部材２０１の前端には可動鉄心係合部２０２が形成されており、シャッター駆動装置２０５に構成される可動鉄心２０６の先端と係合するようになっている。また、シャッター部材２０１の底部には、センサードグ２０３がシャッター部材２０１の底部から上方へ突出して前後方向へ延びるように形成されており、開閉検出センサ２０９の検出部を遮蔽可能に構成されている。
【００５７】
シャッター駆動装置２０５は、主基板６０（中央表示基板７５）からのシャッター駆動信号に基づいてオン・オフ作動する可動鉄心２０６を備えた電磁ソレノイドであり、フロントドア３の裏面側に固設される。可動鉄心２０６の先端はシャッター部材２０１の可動鉄心係合部２０２と係合するようになっており、これによりシャッター駆動装置２０５がシャッター部材２０１と連結される。シャッターバネ２０７は、金属線材を用いて形成された圧縮コイルバネであり、可動鉄心２０６の周囲に取り付けられてシャッター部材２０１に対し通路閉鎖位置に向かう付勢力を与えるようになっている。そして、シャッター駆動装置２０５がオン作動しているときには、図８に示すように、シャッター部材２０１がシャッターバネ２０７の付勢力に抗して通路開放位置にスライド移動（変位）し、シャッター駆動装置２０５がオフ作動しているときには、図７に示すように、シャッター部材２０１がシャッターバネ２０７の付勢力を受けて通路閉鎖位置にスライド移動（変位）するようになっている。
【００５８】
開閉検出センサ２０９は透過型のビームセンサであり、メダル投入部３８の底部前側に配設される。そして、シャッター部材２０１が通路閉鎖位置に位置すると、シャッター部材２０１のセンサードグ２０３が開閉検出センサ２０９の検出部を遮蔽し（図７を参照）、開閉検出センサ２０９は通路閉鎖信号、すなわち、シャッター部材２０１が通路閉鎖位置に位置する状態を示す検出信号を制御部（主基板６０）へ出力するようになっている。一方、シャッター部材２０１が通路開放位置に位置するか（図８を参照）、もしくは通路閉鎖位置に未到達（図９を参照）であるときには、開閉検出センサ２０９の検出部は遮蔽されず（すなわち、センサの検出光が検出され）、開閉検出センサ２０９は通路開放信号、すなわち、シャッター部材２０１が通路閉鎖位置に未到達である状態を示す検出信号を制御部（主基板６０）へ出力するようになっている。
【００５９】
なお、図７に示すように、メダル投入部３８の内部には、上端にメダル投入口３８ａを有するメダル投入通路３８ｂが形成されている。そして、メダル投入口３８ａからメダル投入部３８に投入された遊技メダルは、メダル投入通路３８ｂを通過してメダル投入通路３８ｂの下部開口３８ｃからメダル投入部３８の下部へ排出されるとともに、メダルセレクタ１００の上部開口１１０ａを通過して円板体導入通路１１０内に達するようになっている。
【００６０】
続いて、スロットマシン１の制御システムについて図１０を参照しながら説明する。この制御システムは、主基板６０と、外部集中端子基板６５と、サブ制御基板７０と、中央表示基板７５とを主体に構成される。主基板６０は、例えば、小役や特別役、リプレイ等の通常役の抽選を行うとともに、スロットマシン１の構成機器を統括的に制御して、スロットマシン１による遊技の制御を行う。ここで、特別役とは、レギュラーボーナス（ＲＢ）と称される役物連続作動装置作動状態となる特別役や、ビッグボーナス（ＢＢ）と称される役物連続作動増加装置作動状態となる特別役のことである。
【００６１】
主基板６０には電源ユニット２５が電気的に接続されており、所定の電力が電源ユニット２５から主基板６０を介して各構成機器へ供給されるようになっている。また、電源ユニット２５にはホッパーユニット２３が電気的に接続されており、電源ユニット２５からホッパーユニット２３へ所定の電力が供給されるとともに、主基板６０から出力されたホッパー駆動信号が電源ユニット２５を介してホッパーユニット２３へ入力され、ホッパーユニット２３が作動するようになっている。さらに、主基板６０にはリールユニット２２が電気的に接続されており、主基板６０から出力されたリール制御信号がリールユニット２２に構成されるリールモータ（図示せず）へ入力されて、各リール２１ａ，２１ｂ，２１ｃの回転・停止制御が行われるようになっている。
【００６２】
外部集中端子基板６５は、主基板６０と電気的に接続されるとともに、遊技場内のホールコンピュータ（図示せず）と電気的に接続されており、主基板６０から送信される所定の遊技情報をホールコンピュータへ送信するようになっている。
【００６３】
サブ制御基板７０は、主基板６０から一方向で情報が送信されるように主基板６０と電気的に接続される。サブ制御基板７０には、上部演出用ランプ３１と、上下の各スピーカ３２ａ，３２ｂ，４５ａ，４５ｂと、演出表示装置３３とが電気的に接続されており、主基板６０から送信される演出制御信号を受けて、上部演出用ランプ３１と、上下の各スピーカ３２ａ，３２ｂ，４５ａ，４５ｂと、演出表示装置３３とにそれぞれ駆動信号を出力し、主基板６０から送信される演出制御信号（情報）に応じた遊技者の視覚と聴覚に訴える演出の制御を行うようになっている。
【００６４】
中央表示基板７５は、主基板６０と電気的に接続される。中央表示基板７５には、ベットボタン３９ａ，３９ｂと、スタートレバー４０と、ストップボタン４１ａ，４１ｂ，４１ｃとが電気的に接続されており、これらベットボタン３９ａ，３９ｂおよびスタートレバー４０並びにストップボタン４１ａ，４１ｂ，４１ｃからそれぞれ出力された各操作信号を主基板６０へ転送するようになっている。
【００６５】
また、中央表示基板７５には、設定ボタン４８と、設定表示素子４９とが電気的に接続されており、設定ボタン４８から出力された設定操作信号を主基板６０へ転送するとともに、主基板６０から出力される設定表示信号に基づいて設定表示素子４９に０から６までの数字を表示させるようになっている。さらに、中央表示基板７５には、貯留枚数表示部５１と、回数表示部５２と、払出枚数表示部５３とが電気的に接続されており、主基板６０から出力される各状態表示信号に基づいて、貯留枚数表示部５１および回数表示部５２並びに払出枚数表示部５３にそれぞれ表示駆動信号を出力するようになっている。
【００６６】
また、中央表示基板７５には、メダルセレクタ１００に構成されるソレノイド１２５と、円板体検出装置１４０とが電気的に接続されており、主基板６０から出力されるソレノイド駆動信号をソレノイド１２５へ転送するとともに、円板体検出装置１４０から出力されたメダル検出信号を主基板６０へ転送するようになっている。さらに、中央表示基板７５には、シャッター装置２００に構成されるシャッター駆動装置２０５と、開閉検出センサ２０９とが電気的に接続されており、主基板６０から出力されるシャッター駆動信号をシャッター駆動装置２０５へ転送するとともに、開閉検出センサ２０９から出力された通路閉鎖信号もしくは通路開放信号を主基板６０へ転送するようになっている。
【００６７】
以上のように構成されるスロットマシン１において、シャッター駆動装置２０５は、ブロッカー装置１２０のソレノイド１２５がオン作動するのに伴ってオン作動し、ブロッカー装置１２０のソレノイド１２５がオフ作動するのに伴ってオフ作動するように構成されている。すなわち、シャッター駆動装置２０５は、メダル投入部３８に投入された遊技メダルを円板体排出通路１８０へ導くようにブロッカー装置１２０が作動されているとき（メダル受入非許容時）に、シャッター部材２０１を通路閉鎖位置へ変位させ、メダル投入部３８に投入された遊技メダルを円板体案内通路１１１へ導くようにブロッカー装置１２０が作動されているとき（メダル受入許容時）に、シャッター部材２０１を通路開放位置へ変位させるように構成されている。
【００６８】
そして、メダルセレクタ１００のメダル受入許容時には、ブロッカー装置１２０のソレノイド１２５がオン作動するのに伴ってシャッター駆動装置２０５がオン作動し、図８に示すように、シャッター部材２０１が通路開放位置に変位してメダルセレクタ１００（円板体導入通路１１０）の上部開口１１０ａが開放状態となる。このとき、メダル投入口３８ａからメダル投入部３８に投入された正規の遊技メダルは、メダル投入通路３８ｂを通過して下部開口３８ｃからメダル投入部３８の下部へ排出されるとともに、前述したように、メダルセレクタ１００の上部開口１１０ａからメダルセレクタ１００内に設けられた円板体導入通路１１０および円板体案内通路１１１を通過してメダルセレクタ１００の右側方へ排出され、第１ガイド部材４７ａに案内されてホッパーユニット２３に収容される。
【００６９】
一方、メダルセレクタ１００のメダル受入非許容時には、ブロッカー装置１２０のソレノイド１２５がオフ作動するのに伴ってシャッター駆動装置２０５がオフ作動し、図７に示すように、シャッター部材２０１が通路閉鎖位置に変位してメダルセレクタ１００（円板体導入通路１１０）の上部開口１１０ａが閉鎖状態となる。これにより、メダルセレクタ１００のメダル受入非許容時には、シャッター部材２０１によりメダルセレクタ１００の上部開口１１０ａが閉鎖され、遊技メダルや不正装置等の異物がメダル投入部３８（メダル投入口３８ａ）からメダルセレクタ１００の内部に挿入（もしくは投入）されることを規制することができる。
【００７０】
さらにこのとき、すなわち、主基板６０がブロッカー装置１２０のソレノイド１２５およびシャッター駆動装置２０５にオフ作動信号を出力しているときに、開閉検出センサ２０９から主基板６０に通路開放信号が入力されると、主基板６０は、例えば、スタートレバー４０からの操作信号を無効にしたり、リールユニット２２にリール停止信号を出力して各リール２１ａ，２１ｂ，２１ｃの回転を停止させたりする等して遊技の進行を止め、スロットマシン１による遊技を規制する制御を行うとともに、サブ制御基板７０を介して上下のスピーカ３２ａ，３２ｂ，４５ａ，４５ｂに警報作動信号を出力し、音による警報作動を行わせる制御を行う。
【００７１】
すなわち、シャッター部材２０１を通路閉鎖位置へ変位させるようにシャッター駆動装置２０５が作動されているときに、シャッター部材２０１が通路閉鎖位置に未到達であることを開閉検出センサ２０９が検出すると、主基板６０は、遊技の進行を止めてスロットマシン１による遊技を規制する制御を行うとともに、上下のスピーカ３２ａ，３２ｂ，４５ａ，４５ｂに音による警報作動を行わせる制御を行う。これにより、シャッター部材２０１を不正に開放して不正装置を挿入しようとしても、開閉検出センサ２０９が不正装置の挿入によるシャッター部材２０１の開放を検出してスロットマシン１による遊技を規制することができることから、ブロッカー装置１２０の作動時に不正装置等の異物が不正にメダル投入部３８からスロットマシン内部に挿入されるのを防止することができる。さらに、図９に示すように、厚さの薄い異物（図示せず）を挿入しようとして、シャッター部材２０１が少しだけ不正に開放されるような場合にも有効である。
【００７２】
なお、メダル受入非許容時、すなわち、メダル投入部３８に投入された遊技メダルを円板体排出通路１８０へ導くようにブロッカー装置１２０が作動するときとは、例えば、所定枚数の遊技メダルがメダル投入部３８に投入されてカウントされたときや、遊技メダル投入後にスタートレバー４０の操作が行われて遊技が終了するまでの間（すなわち、遊技中）、遊技メダルの払い戻し時、リプレイ入賞時等である。
【００７３】
また、シャッター部材２０１が通路閉鎖位置に位置するとき、既にメダルセレクタ１００内の円板体導入通路１１０に達している正規の遊技メダルは、前述したように、ブロッカー装置１２０により円板体案内通路１１１から円板体排出通路１８０を通過してメダルセレクタ１００の下方へ排出され、第２ガイド部材４７ｂに案内されてメダル払出口４３から受け皿４４へ払い出される。すなわち、メダルセレクタ１００のメダル受入非許容時には、メダルセレクタ１００の円板体導入通路１１０に達した遊技メダルはスロットマシン１の外部へ強制的に排出される。
【００７４】
そして、以上のような構成のスロットマシン１によれば、シャッター部材２０１を通路閉鎖位置へ変位させるようにシャッター駆動装置２０５が作動されているときに、シャッター部材２０１が通路閉鎖位置に未到達であることを開閉検出装置２０９が検出するとスロットマシン１による遊技を規制する制御を主基板６０が行うため、シャッター部材２０１を不正に開放して不正装置を挿入しようとしても、開閉検出センサ２０９が不正装置の挿入によるシャッター部材２０１の開放を検出してスロットマシン１による遊技を規制することができることから、ブロッカー装置１２０の作動時に不正装置等の異物が不正にメダル投入部３８からスロットマシン内部に挿入されるのを防止することができる。
【００７５】
また、メダルセレクタ１００にブロッカー装置１２０と円板体検出装置１４０とが設けられることで、有効円板体（正規の遊技メダル）と異なる無効円板体が円板体検出装置１４０に（有効円板体として）検出されるのを防止することができる。
【００７６】
さらに、シャッター部材２０１を通路閉鎖位置へ変位させるようにシャッター駆動装置２０５が作動されているときに、シャッター部材２０１が通路閉鎖位置に未到達であることを開閉検出装置２０９が検出すると上下のスピーカ３２ａ，３２ｂ，４５ａ，４５ｂにより警報作動を行わせる制御を主基板６０が行うことで、管理者が不正行為を容易に認識することができる。
【００７７】
なお、上述の実施形態において、メダルセレクタ１００にブロッカー装置１２０と円板体検出装置１４０とが設けられているが、これに限られるものではなく、例えば、メダルセレクタ１００を備えず、円板体が投入されるメダル投入部と、メダル投入部に投入された円板体を円板体案内通路もしくは円板体排出通路へ切り替えて導くブロッカー装置と、円板体案内通路を通過する円板体の検出を行う円板体検出装置とを備えた遊技機においても、本発明を適用することができる。
【００７８】
また、上述の実施形態において、上下のスピーカ３２ａ，３２ｂ，４５ａ，４５ｂを用いて音による警報作動を行わせているが、これに限られるものではなく、演出表示装置３３にエラー報知させるようにしてもよく、上部演出用ランプ３１を点滅させる等して、警報作動を行わせるようにしてもよい。また、警報手段を別途設けるようにしてもよい。
【００７９】
さらに、上述の実施形態において、シャッター部材２０１は、メダル投入部３８の上面部において、シャッター駆動装置２０５により通路閉鎖位置と通路開放位置とにスライド移動自在に設けられているが、これに限られるものではなく、例えば、揺動自在に設けられてもよく、通路閉鎖位置と通路開放位置とに変位可能に構成されていればよい。また、シャッター部材２０１の変位方向は、前後方向に限らず、例えば、左右方向でもよく、円板体導入通路１１０を開閉可能な構成であればよい。さらに、シャッター部材２０１は、メダル投入部３８の上面部に限らず、円板体導入通路１１０を閉鎖可能な位置に設けられていればよい。
【００８０】
また、上述の実施形態において、開閉検出センサ２０９として透過型のビームセンサを用いているが、これに限られるものではなく、反射型のビームセンサや、磁気センサ、接触型のセンサを用いるようにしてもよく、シャッター部材２０１の位置を検出可能な構成であればよい。
【００８１】
さらに、上述の実施形態において、主基板６０を本発明に係る遊技規制部として兼用させているが、これに限られるものではなく、このような遊技規制部を別途設けるようにしてもよい。
【００８２】
また、上述の実施形態において、遊技に用いる円板体として遊技メダルが用いられているが、これに限られるものではなく、代用硬貨（トークン）でもよい。
【００８３】
さらに、上述の実施形態において、メダル投入部が遊技メダルを所定枚数（例えば、３枚）予備投入可能に構成されてもよい。このようにすれば、シャッター部材２０１が通路閉鎖位置に位置するときに遊技メダルをメダル投入部に予備投入しておくことで、通路閉鎖位置に位置するシャッター部材２０１の上方に遊技メダルがメダル投入部内に貯留されるため、シャッター部材２０１が通路開放位置に位置したときに予備投入しておいた遊技メダルを用いて自動的にメダル投入を行うことができる。
【図面の簡単な説明】
【００８４】
【図１】本発明に係るスロットマシン（遊技機）を示す正面図である。
【図２】上記スロットマシンにおけるフロントドアを取り外した状態を示す正面図である。
【図３】上記スロットマシンに構成されるメダルセレクタの正面図（部分断面図）である。
【図４】図３中の矢印IVに沿った矢視図である。
【図５】図３中の矢印V−Vに沿った断面図である。
【図６】図３中の矢印VI−VIに沿った断面図である。
【図７】上記スロットマシンに構成されるシャッター部材が通路閉鎖位置に位置する状態を示す右側面拡大図（断面図）である。
【図８】上記シャッター部材が通路開放位置に位置する状態を示す右側面拡大図（断面図）である。
【図９】上記シャッター部材が通路閉鎖位置に未到達である状態を示す右側面拡大図（断面図）である。
【図１０】上記スロットマシンにおける制御システムの概要を示すブロック図である。
【符号の説明】
【００８５】
１  スロットマシン（遊技機）
３２ａ  左上部スピーカ（警報手段）
３２ｂ  右上部スピーカ（警報手段）
３８  メダル投入部
（３８ａ  メダル投入口、３８ｂ  メダル投入通路、３８ｃ  下部開口）
４５ａ  左下部スピーカ（警報手段）
４５ｂ  右下部スピーカ（警報手段）
６０  主基板（遊技規制部）
１００  メダルセレクタ（円板体選別装置）
１１０  円板体導入通路（１１０ａ  上部開口）
１１１  円板体案内通路
１１２  円板体選別手段
１２０  ブロッカー装置
１４０  円板体検出装置
１４１  第１円板体検出センサ
１４６  第２円板体検出センサ
１８０  円板体排出通路
２００  シャッター装置
２０１  シャッター部材
２０５  シャッター駆動装置
２０９  開閉検出センサ（開閉検出装置）
【図１】
2005304903.tif 000003
【図２】
2005304903.tif 000004
【図３】
2005304903.tif 000005
【図４】
2005304903.tif 000006
【図５】
2005304903.tif 000007
【図６】
2005304903.tif 000008
【図７】
2005304903.tif 000009
【図８】
2005304903.tif 000010
【図９】
2005304903.tif 000011
【図１０】
2005304903.tif 000012